(57)【特許請求の範囲】
【請求項１】
枠と障子とを備え、障子は縦框の内周側に沿って換気装置を有し、換気装置は、室外に面した換気口と、換気口を開閉する内開き式の扉を有し、扉は、室内側面に凹部を長手方向に沿って有し、凹部の下端が障子の下框の上面範囲内に位置し、凹部の下部より室外に連通する排水経路が障子の下框内に設けてあることを特徴とする建具。
【請求項２】
枠と障子とを備え、障子は縦框の内周側に沿って換気装置を有し、換気装置は、室外に面した換気口と、換気口を開閉する内開き式の扉を有し、扉は、形材と、形材の上下端部に取付けた端部キャップを有し、形材の室内側面に凹部を長手方向に沿って有し、下側の端部キャップの凹部内の領域に排水孔が設けてあり、凹部の下部より室外に連通する排水経路が障子に設けてあることを特徴とする建具。
【発明の詳細な説明】
【技術分野】
【０００１】
本発明は、障子に換気装置が組み込まれた建具に関する。
【背景技術】
【０００２】
特許文献１には、横中枠４あるいは縦中枠２５を、上枠１又は下枠２あるいは一方の縦枠３への偏った位置に配置することにより、窓枠に換気部６を設けるとともに、換気部６にサッシ材を主体とした開閉体１７を長手方向の一側を軸として回動開閉自在に取付けた換気部を有するサッシ窓が記載されている。このサッシ窓は、開閉体１７の室内側面に結露が生じた場合にその結露水を排水することができず、室内の床等が結露水で濡れるおそれがあった。
【先行技術文献】
【特許文献】
【０００３】
【特許文献１】特開平７−３０１０５６号公報
【発明の概要】
【発明が解決しようとする課題】
【０００４】
本発明は以上に述べた実情に鑑み、換気装置に生じた結露水を排水できる建具の提供を目的とする。
【課題を解決するための手段】
【０００５】
上記の課題を達成するために請求項１記載の発明による建具は、枠と障子とを備え、障子は縦框の内周側に沿って換気装置を有し、換気装置は、室外に面した換気口と、換気口を開閉する内開き式の扉を有し、扉は、室内側面に凹部を長手方向に沿って有し、凹部の下端が障子の下框の上面範囲内に位置し、凹部の下部より室外に連通する排水経路が障子の下框内に設けてあることを特徴とする。
【０００６】
請求項２記載の発明による建具は、枠と障子とを備え、障子は縦框の内周側に沿って換気装置を有し、換気装置は、室外に面した換気口と、換気口を開閉する内開き式の扉を有し、扉は、形材と、形材の上下端部に取付けた端部キャップを有し、形材の室内側面に凹部を長手方向に沿って有し、下側の端部キャップの凹部内の領域に排水孔が設けてあり、凹部の下部より室外に連通する排水経路が障子に設けてあることを特徴とする。
【発明の効果】
【０００７】
請求項１記載の発明による建具は、障子の縦框の内周側に沿って換気装置を有し、換気装置は、室外に面した換気口と、換気口を開閉する内開き式の扉を有し、扉は、室内側面に凹部を長手方向に沿って有し、凹部の下端が障子の下框の上面範囲内に位置し、凹部の下部より室外に連通する排水経路が障子の下框内に設けてあることで、換気装置に生じた結露水を排水経路から室外に排水できる。
【０００８】
請求項２記載の発明による建具は、障子の縦框の内周側に沿って換気装置を有し、換気装置は、室外に面した換気口と、換気口を開閉する内開き式の扉を有し、扉は、形材と、形材の上下端部に取付けた端部キャップを有し、形材の室内側面に凹部を長手方向に沿って有し、下側の端部キャップの凹部内の領域に排水孔が設けてあり、凹部の下部より室外に連通する排水経路が障子に設けてあることで、換気装置に生じた結露水を排水経路から室外に排水することができ、しかも扉を簡単に製作できる。
【図面の簡単な説明】
【０００９】
【図１】図５のＡ−Ａ断面図である。
【図２】図５のＢ−Ｂ断面図である。
【図３】図５のＢ−Ｂ断面図であって、換気装置の扉を開けた状態を示す。
【図４】扉の操作部の側面図である。
【図５】本発明の建具の第１実施形態を示す室内側正面図である。
【図６】本発明の建具の第２実施形態を示す室内側正面図である。
【図７】図６のＣ−Ｃ断面図である。
【図８】図６のＤ−Ｄ断面図である。
【図９】本発明の建具の第３実施形態を示す室内側正面図である。
【図１０】図９のＥ−Ｅ断面図である。
【図１１】本発明の建具の第４実施形態を示す室内側正面図である。
【図１２】図１１のＦ−Ｆ断面図である。
【図１３】図１１のＦ−Ｆ断面図であって、換気装置の扉を開けた状態を示す。
【図１４】図１１のＧ−Ｇ断面図である。
【図１５】（ａ）は第４実施形態の建具の換気装置の扉の操作部の周辺を拡大して示す室内側正面図であり、（ｂ）はＨ−Ｈ断面図である。
【図１６】本発明の建具の第５実施形態を示す室内側正面図である。
【発明を実施するための形態】
【００１０】
以下、本発明の実施の形態を図面に基づいて説明する。図１〜５は、本発明の建具の第１実施形態を示している。本建具は、図５に示すように、躯体開口部に取付けられる枠１と、枠１内に引違い状に開閉自在に収めた内障子２ａと外障子２ｂを備える。枠１は、アルミニウム合金の押出形材よりなる上枠１０と下枠１１と左右の縦枠１２，１２とを四周枠組みして構成されている。外障子２ｂは、上框１３と下框１４と戸先框３と召合せ框１５を四周框組みし、その内側にガラスパネル（複層ガラス）２３を嵌め込んで構成してある。内障子２ａは、上框１３と下框１４と戸先框３と召合せ框１５を四周框組みすると共に、戸先框３の内周側に沿って換気装置４を設け、上框１３と下框１４と召合せ框１５と換気装置４とで形成される開口部にガラスパネル２３を嵌め込んで構成してある。
【００１１】
換気装置４は、図１，２，５に示すように、一対の長尺枠材１６ａ，１６ｂと一対の短尺枠材１７ａ，１７ｂとを四周枠組みしてなり、室外に面した換気口５を有する枠１８と、枠１８に取付けられ換気口５を開閉する内開き式の扉６とを備えるユニットになっている。
枠１８は、図１，２に示すように、内障子２ａの見込み内に納まっており、枠１８の室外側面は内障子２ａの框３，１３，１４の室外側面と略面一であり、枠１８の室内側面は内障子２ａの框３，１３，１４の室内側面と略面一である。扉６は、枠１８の見込み内に納まっており、扉６の室内側面が枠１８の室内側面と面一になっている。
外周側の長尺枠材１６ａの外周部には、図２に示すように、戸先框３のガラス保持溝１９内に挿入すると弾発的に係止して抜け止めされる一対の係止片２０，２０を有し、室内側の係止片２０にはパッキン２１が設けてある。内周側の長尺枠材１６ｂの内周部には、ガラス保持溝２２が戸先框３のガラス保持溝１９と同じ溝幅で形成されており、そのガラス保持溝２２にガラスパネル２３の端部を挿入し、シール材２４で固定してある。上下の短尺枠材１７ａ，１７ｂは、図１に示すように、外周部に上框１３と下框１４のガラス保持溝１９内にそれぞれ挿入係止される一対の係止片２５，２５を有している。
枠１の換気口５には、外部カバー２６が取付けてある。外部カバー２６は、横長のスリット孔２７が上下方向に間隔をおいて多数形成してあり、室内側面に図示しない花粉・防塵フィルターが取付けてある。外部カバー２６は、左右両側に設けた突起２８を長尺枠材１６ａ，１６ｂの室外側壁の室内側に係止すると共に、上下端部に設けた突起２９を短尺枠材１７ａ，１７ｂの室外側壁の室外側に係止して、換気口５から脱落しないようにしてある。
【００１２】
扉６は、図１，２に示すように、アルミ製の形材３０の上下端部に樹脂製の端部キャップ３１ａ，３１ｂを取付けて構成してある。端部キャップ３１ａ，３１ｂは略板状に形成され、形材３０の上下端部に嵌合取付けしてあり、形材３０の小口をカバーしている。形材３０は、図２に示すように、外周側面にヒンジ部３２が長手方向に沿って設けてあり、ヒンジ部３２を外周側の長尺枠材１６ａに設けた係止部３３と抜け止め部材３４間に係止することで、図３に示すように、扉６がヒンジ部３２を支点として室内側に回動自在となっている。
形材３０の室内側面には、内障子２ａの内周側に延出する延出部３５を有し、延出部３５の室内側面に扉６を開閉操作するための操作部９を取付けてある。操作部９は、図４に示すように、横軸３６を支点に回動自在に設けたロック片３７を有し、ロック片３７の室内側端部にはツマミ３８が設けてあり、ロック片３７の室外側端部には内周側の短尺枠材１６ｂに取付けたロック受け３９に係脱する係合部４０が設けてある。図４中に実線で示すように、ツマミ３８を下位置にしたときは係合部４０がロック受け３９と係合し、扉６が閉鎖状態でロックされている。図４中に二点鎖線で示すように、ツマミ３８を上位置に動かすと、係合部４０がロック受け３９から外れるので、そのままツマミ３８を持って室内側に引くことで、扉６を開けることができる。
【００１３】
図１，２に示すように、各枠材１６ａ，１６ｂ，１７ａ，１７ｂの室外側壁の内周側端部には、室内側に向けてタイト材４１が設けてあり、閉鎖した扉６の室外側面にタイト材４１が圧着している。
上下の短尺枠材１７ａ，１７ｂの室内側壁の内周部には、図１に示すように、タイト材４２が内周側に向けて設けてあり、扉６の上下の端部キャップ３１ａ，３１ｂの室内側端部にこのタイト材４２が当接している。また、内周側の長尺枠材１６ｂの室内側壁の内周部にも、図２に示すように、タイト材４３が内周側に向けて設けてあり、扉６の形材３０の延出部３５の先端部室外側にこのタイト材４３が当接している。これらのタイト材４１，４２，４３により、枠１８と扉６間の水密性・気密性が確保されている。
【００１４】
本建具は、図１，２に示すように、扉６の形材３０の室内側面に凹部７が長手方向に沿って設けてあり、凹部７の下部より室外に連通する排水経路８が設けてある。より詳細には、扉６の下側の端部キャップ３１ｂに、形材３０の凹部７内の領域の室外側縁に沿う形で排水孔４４が設けてあり、下側の短尺枠材１７ｂの見込み壁にも排水孔４５が設けてある。端部キャップ３１ｂの排水孔４４は、タイト材４２の室外側に位置している。さらに、下框１４にはガラス保持溝１９内に浸入した水を室外に排水するための排水孔４６ａ，４６ｂが設けてある。したがって、扉６の室内側面に結露水４７が発生すると、その結露水４７は形材３０の凹部７を伝って流下した後、上述の排水孔４４，４５，４６ａ，４６ｂを順次流れ落ちて室外へと排水される。
【００１５】
以上に述べたように本建具は、内障子２ａの戸先框３の内周側に沿って換気装置４を有し、換気装置４は、室外に面した換気口５と、換気口５を開閉する内開き式の扉６を有し、扉６は、室内側面に凹部７を長手方向に沿って有し、凹部７の下部より室外に連通する排水経路８が設けてあることで、換気装置４に生じた結露水４７を排水経路８から室外に排水できる。よって、換気装置４に生じた結露水で室内の床等が濡れるのを防止できる。
扉６が形材３０と、形材３０の上下端部に取付けた端部キャップ３１ａ，３１ｂを有し、扉６の周囲の枠１８に端部キャップ３１ａ，３１ｂに当接するタイト材４２を有し、下側の端部キャップ３１ｂの凹部７内の領域に排水孔４４が設けてあることで、扉を簡単に製作できると共に、扉６とその周囲の枠１８との間の水密性・気密性が良好になる。
換気装置４は、四周枠組みした枠１８に扉６を組み込んでユニット化してあり、枠１８の周囲の四方の縁部のうち内障子２ａの框３，１３，１４と連続する三方の縁部には、内障子２ａの框３，１３，１４のガラス保持溝１９内に挿入係止される係止片２０，２５が設けてあり、残る一方の縁部にはガラス保持溝２２が形成してあるので、内障子２ａを組み立てる際に換気装置４を容易に取付けできる。また、もともと換気装置の付いていない障子を一旦ばらして換気装置４を組み込み、新しいガラスを取り付けることで、既存の障子を換気装置４付きの障子に改修することも容易である。
また換気装置４は、扉６を内開き式に開くことで換気口５を全開することが可能なため、従来の換気框のようにスライド式に開閉するものと比べて換気量を多くすることができ、換気効率が良い。
【００１６】
図６〜８は、本発明の建具の第２実施形態を示している。第１実施形態では、換気装置４を縦向きにして内障子２ａの戸先框３の内周側に沿って配置していたが、本実施形態では換気装置４を横向きにして内障子２ａの上框１３の内周側に沿って配置している。換気装置４は、長手方向の長さ寸法が異なるだけで第１実施形態のものと同じ構造のものであり、枠１８や扉６に使用している形材も第１実施形態のものとほとんど共通である（扉６の開き勝手が異なる関係で、長尺枠材１６ａ，１６ｂのみが若干異なる。）。扉６は、図７に示すように、ヒンジ部３２が下側に設けられ、ヒンジ部３２を支点として内倒し式に開くようになっている。なお、換気装置４を横向きに設置する場合は、縦向きに設置する場合ほど結露水を排水する必要性がないため、第１実施形態のような結露水を室外に排出するための対策はとられていない。
【００１７】
図９，１０は、本発明の建具の第３実施形態を示している。本実施形態では、第２実施形態と同様に換気装置４を横向きとし、上框１３ではなく下框１４の内周側に沿って換気装置４を配置してある。このタイプでは、長尺枠材１６ａ，１６ｂも第１実施形態と共通化できる。
【００１８】
このように本建具は、換気装置４の枠１８や扉６を構成する部材の兼用化を図りつつ、換気装置４を縦向きと横向きの何れの向きでも設置することができ、横向きの場合に上下何れにも設置できる（上下両方に設置することもできる）ので、低コストで換気装置４の取付位置にバリエーションを持たせられ、合理的である。
【００１９】
図１１〜１５は、本発明の建具の第４実施形態を示している。本実施形態は、図１１に示すように、第１実施形態と同様に、換気装置４を縦向きとし、戸先框３の内周側に沿って換気装置４を取付けている。第１実施形態では、内障子２ａにだけ換気装置４を取付けていたが、本実施形態では内障子２ａと外障子２ｂの両方に換気装置４を取付けている。
【００２０】
本実施形態の建具の換気装置４は、図１２に示すように、扉６の形材３０と操作部９が第１実施形態と異なっており（枠１８は第１実施形態と共通）、操作部９を含めて換気装置４全体が框３，１３，１４の見込み寸法内に納まっている。扉６の形材３０は、室内側面に凹部７を長手方向に沿って設けてあり、凹部７内の空間を利用して操作部９を設けることで、操作部９が扉６の室内側面から飛び出さないようにしている。操作部９は、図１５に示すように、凹部７の底壁に形成した孔に嵌め込んでネジで固着されるハウジング５０と、ハウジング５０の前面に設けられたボタン４８及び引手４９と、ハウジング５０の後方に設けられ室内外方向の軸を支点に回動するロック片３７を備えており、ハウジング５０の前部の板状の部分５０ａが凹部７内の空間に配置されている。ロック片３７がロック受け３９と係合したロック状態では、引手４９が操作部９の前面と面一になっており、ボタン４８を押すと、図１５中に二点鎖線で示すように、ロック片３７が回動してロック受け３９から外れると共に、引手４９が前方に飛び出し、引手４９を持って扉６を開閉操作することができる。
【００２１】
このように本実施形態の建具は、換気装置４を扉６の操作部９も含めて障子２ａ，２ｂの框３，１３，１４の見込み寸法内に納めたことで、換気装置４を外障子２ｂにも設けることが可能となり、内外障子２ａ，２ｂの両方に換気装置４を設けることで、換気効率をより一層向上することができる。扉６の室内側面に凹部７を長手方向に沿って設け、凹部７内の空間を利用して操作部９を設けることで、操作部９を扉６の室内側に飛び出さないように設置するのが容易である。
【００２２】
図１６は、本発明の建具の第５実施形態を示している。本実施形態は、換気装置４を横向きとし、内外両方の障子２ａ，２ｂの上框１３の内周側に沿って換気装置４を配置している。換気装置４は、第４実施形態のものと同様に、扉６の操作部９も含めて全体が框３，１３，１４の見込み寸法内に納まっており、そのため外障子２ｂに換気装置４を設けても障子２ａ，２ｂの開閉に支障がない。
図示のものは、上框１３の内周側に沿って換気装置４を配置しているが、図９に示す第３実施形態のように、下框１４の内周側に沿って換気装置４を配置することもできる。
【００２３】
本発明は以上に述べた実施形態に限定されない。換気装置の枠や扉の形状、材質等は、適宜変更することができる。また、扉の凹部の形状、操作部等の形態についても、適宜変更することできる。本発明は、引違い窓に限らず、片引き窓、開き窓、玄関戸など、あらゆる建具に適用することができる。
【符号の説明】
【００２４】
１  枠
２ａ  内障子（障子）
２ｂ  外障子（障子）
３  戸先框（縦框、框）
４  換気装置
５  換気口
６  扉
７  凹部
８  排水経路
９  操作部
１３  上框（框）
１４  下框（框）
１８  扉の周囲の枠
３０  扉の形材
３１ａ，３１ｂ  端部キャップ
４２  タイト材
４４  排水孔
【図１】
0006557580.tif 000002
【図２】
0006557580.tif 000003
【図３】
0006557580.tif 000004
【図４】
0006557580.tif 000005
【図５】
0006557580.tif 000006
【図６】
0006557580.tif 000007
【図７】
0006557580.tif 000008
【図８】
0006557580.tif 000009
【図９】
0006557580.tif 000010
【図１０】
0006557580.tif 000011
【図１１】
0006557580.tif 000012
【図１２】
0006557580.tif 000013
【図１３】
0006557580.tif 000014
【図１４】
0006557580.tif 000015
【図１５】
0006557580.tif 000016
【図１６】
0006557580.tif 000017